(57)【要約】【課題】簡易な構成で、カーソルによって操作キーを選択する場合の操作キーの表示色制御と、ユーザーのタッチによって操作キーを選択する場合の操作キーの表示色制御とを行うことが可能な電子装置を提供すること。【解決手段】ＥＣＵ７は、リモコン４によって操作キーの選択動作が行われると、カラーパレットＡに設定された表示色を用いて操作キーを表示させ、タッチディスプレイ３へのタッチによって操作キーの選択動作が行われると、カラーパレットＢに設定された表示色を用いて操作キーを表示させる。【選択図】図１
2008027394.tif 000002
【特許請求の範囲】
【請求項１】
表示手段と、
表示手段に表示されるカーソルによって操作キーを選択する第１選択手段、および、表示手段に表示される操作キーへのタッチを検出すると当該操作キーを選択する第２選択手段の、少なくともいずれか一方と、
表示手段に表示される操作キーおよびカーソルの表示制御を行う表示制御手段とを備え、
第１選択手段または第２選択手段によって表示手段に表示された操作キーが選択されたことに基づいて、当該操作キーに対応する動作を実行する電子装置であって、
前記表示制御手段は、前記第１選択手段によって前記操作キーの選択動作が行われると、前記第１表示色群の表示色を用いて前記操作キーを前記表示手段に表示させ、前記第２選択手段によって前記操作キーの選択動作が行われると、前記第２表示色群の表示色を用いて前記操作キーを前記表示手段に表示させることを特徴とする電子装置。
【請求項２】
前記第１表示色群および前記第２表示色群は、前記第１選択手段または前記第２選択手段によって選択された前記操作キーを表示する表示色である選択時表示色と、前記第１選択手段および前記第２選択手段によって選択されていない前記操作キーを表示する表示色である非選択時表示色とを有し、
前記表示制御手段は、前記第１選択手段または前記第２選択手段によって選択されている前記操作キーを前記選択時表示色で表示し、前記第１選択手段および前記第２選択手段によって選択されていない前記操作キーを前記非選択時表示色で表示するものであって、
前記第１表示色群が有する前記選択時表示色は、前記第１表示色群が有する前記非選択時表示色を反転した表示色であることを特徴とする請求項１記載の電子装置。
【請求項３】
前記第１表示色群および前記第２表示色群は、前記第１選択手段または前記第２選択手段によって選択された前記操作キーを表示する表示色である選択時表示色と、前記第１選択手段および前記第２選択手段によって選択されていない前記操作キーを表示する表示色である非選択時表示色とを有し、
前記表示制御手段は、前記第１選択手段または前記第２選択手段によって選択されている前記操作キーを前記選択時表示色で表示し、前記第１選択手段および前記第２選択手段によって選択されていない前記操作キーを前記非選択時表示色で表示するものであって、
前記第２表示色群が有する前記選択時表示色は、前記第２表示色群が有する前記非選択時表示色と同一の表示色であることを特徴とする請求項１記載の電子装置。
【請求項４】
前記第１表示色群および前記第２表示色群は、前記第１選択手段または前記第２選択手段によって選択された前記操作キーを表示する表示色である選択時表示色と、前記第１選択手段および前記第２選択手段によって選択されていない前記操作キーを表示する表示色である非選択時表示色とを有し、
前記表示制御手段は、前記第１選択手段または前記第２選択手段によって選択されている前記操作キーを前記選択時表示色で表示し、前記第１選択手段および前記第２選択手段によって選択されていない前記操作キーを前記非選択時表示色で表示するものであって、
前記操作キーは、当該操作キーの形状を示す形状画像と、当該操作キーに対応する動作を示す文字画像とからなり、
前記第１表示色群および前記第２表示色群は、前記形状画像と前記文字画像の各々における、前記選択時表示色と前記非選択時表示色とを有することを特徴とする請求項１記載の電子装置。
【請求項５】
前記電子装置は、車両用のナビゲーション装置に組み込まれて動作することを特徴とする請求項１から請求項４のいずれかに記載の電子装置。
【請求項６】
表示手段と、
表示手段に表示されるカーソルによって操作キーを選択する第１選択手段、および、表示手段に表示される操作キーへのタッチを検出すると当該操作キーを選択する第２選択手段の、少なくともいずれか一方と、
第１選択手段または第２選択手段によって表示手段に表示された操作キーが選択されたことに基づいて、当該操作キーに対応する動作を実行する電子装置に搭載され、表示手段に表示される操作キーおよびカーソルの表示制御を行う表示制御プログラムであって、
前記第１選択手段によって前記操作キーの選択動作が行われると、前記第１表示色群の表示色を用いて前記操作キーを前記表示手段に表示させ、前記第２選択手段によって前記操作キーの選択動作が行われると、前記第２表示色群の表示色を用いて前記操作キーを前記表示手段に表示させる表示色制御機能を実現することを特徴とする表示制御プログラム。
【発明の詳細な説明】
【技術分野】
【０００１】
本発明は、ディスプレイに設けられたタッチパネルを備える場合における操作キーの表示色制御と、リモコン等を用いてディスプレイに表示されたカーソルを操作して操作キーを選択する場合における操作キーの表示色制御とを行うことが可能な電子装置に関する。
【背景技術】
【０００２】
従来、タッチパネルを備えるか否かによって異なる操作画面を表示する装置が公知である。例えば、特許文献１の装置では、装置に接続された表示部について、予め設定された所定の型式識別信号を読み取ったり、タッチパネル用制御信号の送受信を試みることにより、表示部がタッチパネルを備えるか否かを判断する。表示部がタッチパネルを備えると判断した場合は、タッチパネルを利用して装置の操作を容易に行うことができる第１の操作画面を表示部に表示する。表示部がタッチパネルを備えていないと判断した場合は、リモコンを利用して装置の操作を容易に行うことができる第２の操作画面を表示部に表示する。
【特許文献１】特開２００５−２６７４５０号公報
【発明の開示】
【発明が解決しようとする課題】
【０００３】
ところで、タッチパネルを備える装置と、リモコン等を備える装置のいずれにおいても、ユーザーが当該装置を操作するための操作キーを表示画面に表示することとなるが、操作キーの表示色に関する制御については異なるため、従来装置では操作キーの表示制御プログラム自体を個別に作成していた。そのため、設計面およびコスト面から好ましくない。
【０００４】
本発明は、上記の問題に鑑みてなされたものであり、簡易な構成で、カーソルによって操作キーを選択する場合の操作キーの表示色制御と、ユーザーのタッチによって操作キーを選択する場合の操作キーの表示色制御とを行うことが可能な電子装置の提供を目的とする。
【課題を解決するための手段】
【０００５】
上記目的を達成するために、請求項１に記載の電子装置では、表示手段と、表示手段に表示されるカーソルによって操作キーを選択する第１選択手段、および、表示手段に表示される操作キーへのタッチを検出すると当該操作キーを選択する第２選択手段の、少なくともいずれか一方と、表示手段に表示される操作キーおよびカーソルの表示制御を行う表示制御手段とを備え、第１選択手段または第２選択手段によって表示手段に表示された操作キーが選択されたことに基づいて、当該操作キーに対応する動作を実行する電子装置であって、表示制御手段は、第１選択手段によって操作キーの選択動作が行われると、第１表示色群の表示色を用いて操作キーを表示手段に表示させ、第２選択手段によって操作キーの選択動作が行われると、第２表示色群の表示色を用いて操作キーを表示手段に表示させることを特徴とする。
【０００６】
このように、本発明の電子装置では、表示制御手段は、第１選択手段によって操作キーの選択動作が行われると、第１表示色群の表示色を用いて操作キーを表示手段に表示させ、第２選択手段によって操作キーの選択動作が行われると、第２表示色群の表示色を用いて操作キーを表示手段に表示させる。第１選択手段が設けられている場合と、第２選択手段が設けられている場合とでは、従来は操作キーの表示色に関する制御が異なるため、表示制御プログラム自体を個別に作成していた。しかし、本装置の表示制御手段では、第１選択手段が設けられている場合にも、第２選択手段が設けられている場合にも、表示色を除いては態様が同一の操作キーを表示しているので、表示制御プログラムを共通化することができる。従って、簡易な構成で、カーソルによって操作キーを選択する場合の操作キーの表示色制御と、ユーザーのタッチによって操作キーを選択する場合の操作キーの表示色制御とを行うことが可能となり、設計面およびコスト面から好ましい。
【０００７】
請求項２に記載のように、第１表示色群および第２表示色群は、第１選択手段または第２選択手段によって選択された操作キーを表示する表示色である選択時表示色と、第１選択手段および第２選択手段によって選択されていない操作キーを表示する表示色である非選択時表示色とを有し、表示制御手段は、第１選択手段または第２選択手段によって選択されている操作キーを選択時表示色で表示し、第１選択手段および第２選択手段によって選択されていない操作キーを非選択時表示色で表示するものであって、第１表示色群が有する選択時表示色は、第１表示色群が有する非選択時表示色を反転した表示色であることが望ましい。これにより、ユーザーは表示手段を一見しただけで、第１選択手段によって選択した操作キーを把握することができる。
【０００８】
請求項３に記載のように、第１表示色群および第２表示色群は、第１選択手段または第２選択手段によって選択された操作キーを表示する表示色である選択時表示色と、第１選択手段および第２選択手段によって選択されていない操作キーを表示する表示色である非選択時表示色とを有し、表示制御手段は、第１選択手段または第２選択手段によって選択されている操作キーを選択時表示色で表示し、第１選択手段および第２選択手段によって選択されていない操作キーを非選択時表示色で表示するものであって、第２表示色群が有する選択時表示色は、第２表示色群が有する非選択時表示色と同一の表示色であることが望ましい。第２選択手段によって選択する操作キーは、ユーザーが表示手段にタッチすることによって選択したものであり、ユーザーは当該操作キーを選択したことを十分に把握していると考えられる。そのため、第２表示色群が有する選択時表示色と非選択時表示色とを同一の表示色とすることで、ユーザーに違和感を与えることなく操作キーの表示を行うことができる。
【０００９】
請求項４に記載のように、第１表示色群および第２表示色群は、第１選択手段または第２選択手段によって選択された操作キーを表示する表示色である選択時表示色と、第１選択手段および第２選択手段によって選択されていない操作キーを表示する表示色である非選択時表示色とを有し、表示制御手段は、第１選択手段または第２選択手段によって選択されている操作キーを選択時表示色で表示し、第１選択手段および第２選択手段によって選択されていない操作キーを非選択時表示色で表示するものであって、操作キーは、当該操作キーの形状を示す形状画像と、当該操作キーに対応する動作を示す文字画像とからなり、第１表示色群および第２表示色群は、形状画像と文字画像の各々における、選択時表示色と非選択時表示色とを有することが望ましい。これにより、ユーザーは選択した操作キーに加え、選択した操作キーに対応する動作についてまで、確実に把握することができる。
【００１０】
また、本電子装置は、請求項５に記載のように車両用のナビゲーション装置に組み込まれて動作することが望ましい。
【００１１】
請求項６に記載の表示制御プログラムの作用効果に関しては、前述した請求項１における電子装置の作用効果と同様であるため、説明を省略する。
【発明を実施するための最良の形態】
【００１２】
（第１実施形態）
図１は、本発明の第１の実施形態における電子装置の全体構成を示すブロック図である。本電子装置は、車両用ナビゲーション装置に組み込まれて動作する。
【００１３】
図１において、位置検出器１は、地磁気センサ１Ａ、ジャイロスコープ１Ｂ、距離センサ１Ｃ、ＧＰＳ受信機１Ｄから構成され、車両の現在位置および進行方向の検出を行う。
【００１４】
地磁気センサ１Ａは、例えばパーマロイ等の環状の強磁性体に、これを励磁するための励磁巻線と、方向検出用の直交する２つの検出巻線とが巻かれた構成を持つ。そして、励磁巻線に交流電圧を印加することによって２つの検出巻線に発生する電圧を計測し、これに基づいて車両の進行方向を絶対方位として検出する。
【００１５】
ジャイロスコープ１Ｂは、例えば水晶振動子を備え、当該振動子を振動させた際に発生する、コリオリ力に基づく振動から、車両のヨー角速度（ヨーレート）を検出する。
【００１６】
距離センサ１Ｃは、例えば車両に搭載された図示しない車輪や車軸の回転信号に基づいて、車両の移動距離を検出する。
【００１７】
ＧＰＳ受信機１Ｄは、人工衛星である図示しないＧＰＳ衛星から送信される位置測定用のＧＰＳ信号を受信し、車両が現在走行している地点の緯度や経度、高度を検出する。
【００１８】
位置検出器１は、前述した４つの機器の検出結果を相互に補間することによって、車両の現在位置および進行方向を高い精度で検出する。もちろん、要求される検出精度によっては、前述の４つの機器を全て備える必要はない。なお、車両の現在位置および進行方向に関しては、例えば三次元ジャイロによって、車両の左右方向および高さ方向における加速度を検出し、当該検出結果にも基づいて検出することとしても良い。また、ステアリングセンサ等、他のセンサによる検出信号にも基づいて行うこととしてもよい。
【００１９】
地図データ記憶器２は、例えば記憶媒体としてハードディスクを有し、道路情報、交通規制情報、建造物情報、各地域の住所情報や郵便番号情報等を含む地図データと、地図画像を表示するための地図画像データとを記憶する。前述の地図データおよび地図画像データは、更新することが可能である。地図データおよび地図画像データに関しては、ＣＤ−ＲＯＭやＤＶＤ−ＲＯＭ等に記憶することとしても良い。
【００２０】
タッチディスプレイ３は、ユーザーが表示画面上のいずれかの位置にタッチしたことを検出するとともに、当該表示画面上におけるタッチ位置を示す信号を出力するタッチパネルを前面に備えたディスプレイであり、地図画像表示を含むナビゲーション画面を表示したり、各種ナビゲーション動作を指示する操作キーを表示する操作画面（図２参照）を表示する。前述の操作キーは、当該操作キーの形状を示す形状画像と、当該操作キーに対応するナビゲーション動作を示す文字画像とから構成される。また、タッチディスプレイ３は、前述のナビゲーション画面と操作画面とを切り替えて表示するよう指示する切替表示キーを常に表示する。このタッチディスプレイ３は、第２選択手段として機能するものである。
【００２１】
リモコン４は、図示しないカーソルキー、決定キー、切替表示キーを備えたリモコンであり、リモコンセンサ５を介して、各種ナビゲーション動作の開始や終了を指示する。具体的には、リモコン４は、切替表示キーが押されると、タッチディスプレイ３に表示されたナビゲーション画面と操作画面とを切り替えるよう指示する切替指示を出力する。また、カーソルキーが押されると、タッチディスプレイ３の操作画面に表示されたカーソルを、当該カーソルキーが押された方向へと移動させるよう指示する移動指示を出力する。決定キーが押されると、タッチディスプレイ３の操作画面においてカーソルが選択している操作キーと対応するナビゲーション動作を実行するよう指示する実行指示を出力する。このリモコン４は、第１選択手段として機能するものである。
【００２２】
通信機６は、車載用の小型通信機であり、図示しないＶＩＣＳ情報センターから送信されて来る渋滞情報および交通規制情報を受信する。前述の渋滞情報および交通規制情報に関しては、ＦＭ放送等から受信することとしても良い。
【００２３】
ＥＣＵ７は、公知のコンピュータから構成され、地図画像表示を含む各種ナビゲーション動作を実行する。具体的には、ＥＣＵ７は、位置検出器１が検出した車両の現在位置および進行方向に基づいて、地図データ記憶器２から車両の現在位置周辺の地図画像データを読み出すとともに、通信機６が受信した渋滞情報および交通規制情報を取得する。そして、車両の現在位置を示すマーク、渋滞情報、交通規制情報を重畳した地図画像をナビゲーション画面としてタッチディスプレイ３に表示させるとともに、スピーカ８から各種音声案内を行わせる。
【００２４】
さらに、タッチディスプレイ３から出力される信号から切替表示キーがタッチされたと判断される場合や、リモコン４から切替指示が出力された場合、ＥＣＵ７はタッチディスプレイ３に表示されたナビゲーション画面と操作画面とを切り替える。リモコン４から移動指示が出力された場合、ＥＣＵ７はタッチディスプレイ３の操作画面に表示されたカーソルを当該移動指示の示す方向へと移動させる。リモコン４から実行指示が出力された場合、ＥＣＵ７はタッチディスプレイ３の操作画面において、カーソルが選択している操作キーと対応するナビゲーション動作を行う。タッチディスプレイ３の操作画面に表示された操作キーにユーザーがタッチした場合も同様である。
【００２５】
次に、本実施形態の特徴である、タッチディスプレイ３の操作画面に表示された操作キーの表示色をＥＣＵ７が表示制御プログラムに従って制御する動作について説明する。
【００２６】
はじめに、ＥＣＵ７が有するカラーパレットＡ（第１表示色群）およびカラーパレットＢ（第２表示色群）について説明する。
【００２７】
カラーパレットＡは、パレットＡ１〜パレットＡ４の４つのパレットから構成され、リモコン４によってタッチディスプレイ３の操作画面に表示された操作キーの選択を行う場合における、操作キーの表示色が設定される。具体的には、パレットＡ１およびパレットＡ２（非選択時表示色）には、操作キーがカーソルによって選択されていない場合における、操作キーの形状画像の表示色および文字画像の表示色が設定され、パレットＡ３およびパレットＡ４（選択時表示色）には、操作キーがカーソルによって選択されている場合における、操作キーの形状画像の表示色および文字画像の表示色が設定される。
【００２８】
カラーパレットＢは、パレットＢ１〜パレットＢ４の４つのパレットから構成され、ユーザーがタッチディスプレイ３にタッチすることによって、タッチディスプレイ３の操作画面に表示された操作キーの選択を行う場合における、操作キーの表示色が設定される。具体的には、パレットＢ１およびパレットＢ２（非選択時表示色）には、操作キーがタッチ（選択）されていない場合における、操作キーの形状画像の表示色および文字画像の表示色が設定され、パレットＢ３およびパレットＢ４（選択時表示色）には、操作キーがタッチ（選択）された場合における、操作キーの形状画像の表示色および文字画像の表示色が設定される。
【００２９】
次に、前述したカラーパレットＡおよびカラーパレットＢを利用して、ＥＣＵ７がタッチディスプレイ３の操作画面に表示される操作キーの表示色を表示制御プログラムに従って制御する動作について説明する。
【００３０】
リモコン４から切替指示が出力されることにより、タッチディスプレイ３の表示画面を操作画面に切り替えた場合、ＥＣＵ７は、本装置にリモコン４が設けられているものと認識し、操作画面に表示された操作キーの形状画像および文字画像を、カラーパレットＡのパレットＡ１およびパレットＡ２に設定された表示色で表示させる。次に、ＥＣＵ７は、操作画面に表示された操作キーのうちのいずれかにカーソルを表示させる。このカーソルは、操作画面に表示された操作キーのうちのいずれかの操作キーの形状画像および文字画像の表示色を、カラーパレットＡのパレットＡ３およびＡ４に設定された表示色で表示（変更）させることにより行う。すなわち、前述のカーソルは操作キーと別個独立に表示されるものではなく、選択されている操作キーの形状画像および文字画像の表示色を、他の操作キーの形状画像および文字画像の表示色とは異ならせることによって表示させるものである（図２参照）。そして、リモコン４から移動指示が出力されると、ＥＣＵ７は当該移動指示の示す方向へカーソルを１つ移動させる。すなわち、操作画面に表示された操作キーのうち、現在カーソルが選択している操作キーの形状画像および文字画像の表示色をカラーパレットＡのパレットＡ１およびパレットＡ２に設定された表示色で表示（変更）させ、リモコン４から出力された移動指示の示す方向に隣接する操作キーの表示色を、カラーパレットＡのパレットＡ３およびＡ４に設定された表示色で表示（変更）させる（図３参照）。リモコン４から実行指示が出力されると、ＥＣＵ７は、カーソルが選択している操作キーに対応するナビゲーション動作を実行する。
【００３１】
一方、タッチディスプレイ３の切替表示キーがタッチされることにより、タッチディスプレイ３の表示画面を操作画面に切り替えた場合、ＥＣＵ７は、本装置にタッチディスプレイ３が設けられているものと認識し、操作画面に表示された操作キーの形状画像および文字画像を、カラーパレットＢのパレットＢ１およびパレットＢ２に設定された表示色で表示させる（図４参照）。操作画面に表示された操作キーにユーザーがタッチすると、ＥＣＵ７は、タッチされた操作キーの形状画像および文字画像をカラーパレットＢのパレットＢ３およびＢ４に設定された表示色で表示（変更）させ、タッチされた操作キーに対応するナビゲーション動作を実行する。
【００３２】
なお、リモコン４から切替指示が出力されることにより、タッチディスプレイ３の表示画面を操作画面に切り替えた場合であっても、その後に操作画面に表示された操作キーがユーザーによってタッチされる場合もある。このような場合、ＥＣＵ７は、タッチディスプレイ３の切替表示キーがタッチされることにより、タッチディスプレイ３の表示画面を操作画面に切り替えた場合と同様の動作を行う。また、タッチディスプレイ３の切替表示キーがタッチされることにより、タッチディスプレイ３の表示画面を操作画面に切り替えた場合でも、その後にリモコン４から移動指示が出力される場合もある。このような場合、ＥＣＵ７は、リモコン４から切替指示が出力されることにより、タッチディスプレイ３の表示画面を操作画面に切り替えた場合と同様の動作を行う。ユーザーがタッチディスプレイ３およびリモコン４のいずれを使用した場合にも、対応するカラーパレットに設定された表示色を用いて操作キーを表示するためである。
【００３３】
また、前述した２つの方法で操作画面の切り替えを行った場合における、操作画面に表示される操作キーの操作画面上における表示位置および表示尺度は、同一である。操作キーを表示する形状画像および文字画像の画像データを共通化するためである。
【００３４】
なお、ＥＣＵ７は、表示制御手段として機能するものである。
【００３５】
メモリ９は、ＥＣＵ７が各種動作を行う際の記憶領域として利用される。メモリ９に関しては、例えばメモリカード等を利用する。
【００３６】
次に、ＥＣＵ７が、タッチディスプレイ３の操作画面に表示される操作キーの表示色を、表示制御プログラムに従って制御する具体例を説明する。なお、以下の例では、カラーパレットＡのパレットＡ１およびパレットＡ２には白色および黒色が設定される。パレットＡ３には、パレットＡ１の表示色（白色）を反転した黒色が設定され、パレットＡ４には、パレットＡ２の表示色（黒色）を反転した白色が設定される。また、カラーパレットＢのパレットＢ１およびパレットＢ３には白色が設定され、パレットＢ２およびパレットＢ４には黒色が設定される。
【００３７】
図２は、リモコン４から切替指示が出力されることにより、タッチディスプレイ３の表示画面を操作画面に切り替えた場合における、操作画面の表示例である。図２では、操作画面に表示される操作キーとして、「移動経路設定」、「移動経路変更」、「移動経路消去」の３つがある。前述の３つの操作キーのうち、カーソルによって選択されている「移動経路設定」に関しては、その形状画像および文字画像がカラーパレットＡのパレットＡ３およびパレットＡ４に設定された表示色（黒色および白色）で表示されているのが理解される。また、他の操作キーである「移動経路変更」と「移動経路消去」に関しては、その形状画像および文字画像がカラーパレットＡのパレットＡ１およびパレットＡ２に設定された表示色（白色および黒色）で表示されている。カラーパレットＡにおいて、パレットＡ１およびパレットＡ２に設定された表示色を反転した表示色を、パレットＡ３およびパレットＡ４に設定することで、ユーザーは一見しただけで、リモコン４によって選択した操作キーを把握できる。
【００３８】
図３は、図２の操作画面がタッチディスプレイ３に表示されている場合において、リモコン４から移動指示（右）が出力された場合の操作画面の表示例である。図３では、図２において操作キー「移動経路設定」を選択していたカーソルが、当該操作キーの右に隣接する操作キー「移動経路変更」へと移動しており、操作キー「移動経路変更」の形状画像および文字画像が、カラーパレットＡのパレットＡ３およびパレットＡ４に設定された表示色（黒色および白色）で表示されているのが理解される。また、他の操作キーである「移動経路設定」と「移動経路消去」に関しては、その形状画像および文字画像がカラーパレットＡのパレットＡ１およびパレットＡ２に設定された表示色（白色および黒色）で表示されている。
【００３９】
図４は、タッチディスプレイ３の切替表示キーがタッチされることにより、タッチディスプレイ３の表示画面を操作画面に切り替えた場合の操作画面の表示例である。
【００４０】
図４では、操作画面に表示される３つの操作キー「移動経路設定」、「移動経路変更」、「移動経路消去」の形状画像および文字画像が、カラーパレットＢのパレットＢ１およびパレットＢ２に設定された表示色（白色および黒色）で表示されている。ユーザーが前述の３つの操作キーのいずれかにタッチした場合、ＥＣＵ７は、当該操作キーの形状画像および文字画像の表示色を、カラーパレットＢのパレットＢ３およびパレットＢ４に設定された表示色（白色および黒色）で表示する。ただし、この場合の操作画面の表示例については、カラーパレットＢのパレットＢ１およびパレットＢ３に同じ表示色である白色が設定されており、パレットＢ２およびパレットＢ４に同じ表示色である黒色が設定されているため、図４と同様となる。カラーパレットＢのパレットＢ１とパレットＢ３、パレットＢ２とパレットＢ４を同一の表示色としたのは、ユーザーがタッチディスプレイ３にタッチして選択した操作キーについては、ユーザーは当該操作キーを選択したことを十分に把握していると考えられ、ユーザーに違和感を与えることなく操作キーの表示を行うためである。
【００４１】
なお、図２の操作画面がタッチディスプレイ３に表示されている場合において、ユーザーが操作画面に表示された操作キーのいずれかにタッチすると、図４の操作画面がタッチディスプレイ３に即座に表示されることとなる。また、図４の操作画面がタッチディスプレイ３に表示されている場合において、リモコン４から移動指示が出力されると、図２の操作画面がタッチディスプレイ３に即座に表示されることとなる。
【００４２】
図２〜図４の例から理解されるように、カーソルやユーザーのタッチによって選択した操作キーに関しては、当該操作キーの形状画像と文字画像の表示色が、カラーパレットＡのパレットＡ３およびパレットＡ４や、カラーパレットＢのパレットＢ３およびパレットＢ４に設定された表示色で表示される。そのため、ユーザーは選択した操作キーに対応する動作についても、確実に把握できる。
【００４３】
このように、本実施形態の電子装置では、ＥＣＵ７は、リモコン４によって操作キーの選択動作が行われると、カラーパレットＡに設定された表示色を用いて操作キーを表示させ、タッチディスプレイ３へのタッチによって操作キーの選択動作が行われると、カラーパレットＢに設定された表示色を用いて操作キーを表示させる。リモコンが設けられている場合と、タッチディスプレイが設けられている場合とでは、従来は操作キーの表示色に関する制御が異なるため、表示制御プログラム自体を個別に作成していた。しかし、本装置の表示制御手段では、リモコンが設けられている場合にも、タッチディスプレイが設けられている場合にも、表示色を除いては態様が同一の操作キーを表示しているので、表示制御プログラムを共通化することができる。従って、簡易な構成で、リモコンによって操作キーを選択する場合の操作キーの表示色制御と、ユーザーのタッチによって操作キーを選択する場合の操作キーの表示色制御とを行うことが可能となり、設計面およびコスト面から好ましい。
【００４４】
（第２実施形態）
次に、本発明の第２の実施形態について説明する。本実施形態の電子装置は、前述した第１の実施形態の場合と同様、車両用ナビゲーション装置に組み込まれて動作するが、タッチディスプレイは設けられておらず、操作画面に表示された操作キーの選択に利用されるのはリモコンのみである点が特徴である。
【００４５】
図５は、本発明の第２の実施形態における電子装置の全体構成を示すブロック図である。
【００４６】
ディスプレイ１０は、前述した第１の実施形態におけるタッチディスプレイ３の代わりに設けられ、ナビゲーション画面や操作画面の表示を行う。
【００４７】
本実施形態のＥＣＵ７は、前述した実施形態の場合と同様、カラーパレットＡとカラーパレットＢとを有するが、ディスプレイ３の操作画面に表示された操作キーの選択はリモコン４によってのみ行われるため、カラーパレットＢを用いた操作キーの表示色制御は行わない。すなわち、ＥＣＵ７は、リモコン４によって操作キーを選択する場合における操作キーの表示色制御を行うが、その表示制御プログラムに関しては、前述した第１の実施形態の場合と同一のものが利用される。
【００４８】
その他の機械的構成・動作に関しては、前述した第１の実施形態の場合と同様であるため、説明を省略する。
【００４９】
このように、本実施形態の電子装置では、リモコン４によって操作キーの選択動作が行われると、カラーパレットＡに設定された表示色を用いて操作キーを表示させる。その際に利用される表示色制御プログラムは、リモコンとタッチディスプレイとを両方備える装置に組み込まれるものと同一のものであるため、設計面およびコスト面から好ましい。
【００５０】
（第３実施形態）
次に、本発明の第３の実施形態について説明する。本実施形態の電子装置は、前述した第１の実施形態の場合と同様、車両用ナビゲーション装置に組み込まれて動作するが、リモコンは設けられておらず、操作画面に表示された操作キーの選択に利用されるのはタッチディスプレイのみである点が特徴である。
【００５１】
図６は、本発明の第３の実施形態における電子装置の全体構成を示すブロック図である。
【００５２】
本実施形態のＥＣＵ７は、前述した実施形態の場合と同様、カラーパレットＡとカラーパレットＢとを有するが、タッチディスプレイ３の操作画面に表示された操作キーの選択は、タッチディスプレイ３へのタッチによってのみ行われるため、カラーパレットＡを用いた操作キーの表示色制御は行わない。すなわち、ＥＣＵ７は、タッチディスプレイ３によって操作キーを選択する場合における操作キーの表示色制御を行うが、その表示色制御プログラムに関しては、前述した第１の実施形態の場合と同一のものが利用される。
【００５３】
その他の機械的構成・動作に関しては、前述した第１の実施形態の場合と同様であるため、説明を省略する。
【００５４】
このように、本実施形態の電子装置では、タッチディスプレイ３へのタッチによって操作キーの選択動作が行われると、カラーパレットＢに設定された表示色を用いて操作キーを表示させる。その際に利用される表示色制御プログラムは、リモコンとタッチディスプレイとを両方備える装置に組み込まれるものと同一のものであるため、設計面およびコスト面から好ましい。
【００５５】
前述した各実施形態では、本電子装置は車両用ナビゲーション装置に組み込まれて動作した。しかしながら、これに限定されるものではなく、リモコンまたはタッチディスプレイのいずれか一方、または両方を備えた装置であれば、好適に利用できる。
【図面の簡単な説明】
【００５６】
【図１】本発明の第１の実施形態における電子装置の全体構成を示すブロック図である。
【図２】第１の実施形態の電子装置において、リモコンから切替指示が出力されることにより、タッチディスプレイの表示画面を操作画面に切り替えた場合における、操作画面の表示例である。
【図３】第１の実施形態の電子装置において、図２の操作画面がタッチディスプレイ３に表示されている場合に、リモコンから移動指示（右）が出力された場合における、操作画面の表示例である。
【図４】第１の実施形態の電子装置において、タッチディスプレイの切替表示キーがタッチされることにより、タッチディスプレイの表示画面を操作画面に切り替えた場合の、操作画面の表示例である。
【図５】本発明の第２の実施形態における電子装置の全体構成を示すブロック図である。
【図６】本発明の第３の実施形態における電子装置の全体構成を示すブロック図である。
【符号の説明】
【００５７】
１…位置検出器、  １Ａ…地磁気センサ、  １Ｂ…ジャイロスコープ、  １Ｃ…距離センサ、  １Ｄ…ＧＰＳ受信機、  ２…地図データ記憶器、  ３…タッチディスプレイ、  ４…リモコン  ５…リモコンセンサ、  ６…通信機、  ７…ＥＣＵ、  ８…スピーカ、  ９…メモリ、  １０…ディスプレイ
【図１】
2008027394.tif 000003
【図２】
2008027394.tif 000004
【図３】
2008027394.tif 000005
【図４】
2008027394.tif 000006
【図５】
2008027394.tif 000007
【図６】
2008027394.tif 000008